(57)【要約】      （修正有）【課題】光源装置から照明対象物までの距離が長い場合に、長尺のライトガイドを用いた場合のリスクを大幅に減少させると共に、装置の軽量化、照明の明るさの向上と大幅な節電、光源部の長寿命化を達成し、かつライトガイドに使用される光ファイバにプラスチックファイバの使用を可能としてコストの大幅な低減を図った画期的な光源装置を提供する。【解決手段】光源部３を装置本体８に対して分離使用可能に構成して、光源装置１全体を照明対象物２３に接近させることができない場合には、光源部３のみを装置本体８から取り外して照明対象物２３に接近した位置に配置し、電源ケーブル６のみを延長することでライトガイド４を延長することなく、ライトガイド４先端の光照射部４ａを照明対象物２３に接近させて至近距離から強い光で照明対象物２３を明るく照明できるようにし、かつ光源部３を冷却ファン付きの発光ダイオードＬＥＤとした構成を特徴とする。【選択図】図６
2009129899.tif 000002
【特許請求の範囲】
【請求項１】
電力を供給されて発光する発光体を有する光源部と、該光源部に接続されて前記発光体からの光を光ファイバにより前記光源部から離れて位置する光照射部に伝達するライトガイドと、前記光源部に安定した電力を供給する電源部と、該電源部と前記光源部とを電気的に接続する電源ケーブルと、該電源ケーブル、前記電源部及び前記光源部を収容するための装置本体とを備えた光源装置において、前記電源部を前記装置本体に固定すると共に、前記光源部を前記装置本体に対して分離使用可能に構成し、前記装置本体を照明対象物から遠方に配置しながら前記光源部を前記装置本体から取り外して前記ライトガイドを伴って前記照明対象物に接近させ、前記電源ケーブルを延長することで前記ライトガイドを延長することなく近距離から前記光照射部により前記照明対象物を照明できるように構成したことを特徴とする光源装置。
【請求項２】
電力を供給されて発光する発光体を有する光源部と、該光源部に接続されて前記発光体からの光を光ファイバにより前記光源部から離れて位置する光照射部に伝達するライトガイドと、前記光源部に安定した電力を供給する電源部と、該電源部と前記光源部とを電気的に接続する電源ケーブルと、該電源ケーブル、前記電源部及び前記光源部を収容するための装置本体とを備えた光源装置において、前記発光体を構成する発光ダイオードと、該発光ダイオードを冷却する冷却ファンと、これらの部品を収容する匪体とからなる光源部を備え、前記電源部を前記装置本体に固定すると共に、前記光源部を前記装置本体に対して分離使用可能に構成し、前記装置本体を照明対象物から遠方に配置しながら前記光源部を前記装置本体から取り外して前記ライトガイドを伴って前記照明対象物に接近させ、前記電源ケーブルを延長することで前記ライトガイドを延長することなく近距離から前記光照射部により前記照明対象物を照明できるように構成したことを特徴とする光源装置。
【請求項３】
前記ライトガイドに使用される光ファイバは、プラスチックファイバであることを特徴とする請求項１又は請求項２に記載の光源装置。
【請求項４】
前記光源部の前記装置本体からの取外しは、装置全体のカバーを外して前記光源部を前記装置本体から取り外すように構成したことを特徴とする請求項１乃至請求項３のいずれかに記載の光源装置。
【請求項５】
前記光源部の前記装置本体からの取外しは、装置全体のカバーから分離した前記光源部のみのカバーを外して前記光源部を該カバーと共に前記装置本体から取り外すように構成したことを特徴とする請求項１乃至請求項３のいずれかに記載の光源装置。
【発明の詳細な説明】
【発明の詳細な説明】
【技術分野】
【０００１】本発明は、光源装置に係り、特に光源部を装置本体に対して分離使用可能に構成して、光源装置全体を照明対象物に接近させることができない場合には、光源部のみを装置本体から取り外して照明対象物に接近した位置に配置し、電源ケーブルのみを延長することでライトガイドを延長することなく、ライトガイド先端の光照射部を照明対象物に接近させて至近距離から強い光で照明対象物を明るく照明できるようにし、かつ光源部を冷却ファン付きの発光ダイオードで構成することによって、従来光源装置と照明対象物までの区間は全区間ライトガイドにより伝送されていた光を、大半の部分を電源ケーブルへと変更可能とすることにより、必要最小限のライトガイドのみを使用すれば済むようにし、光源装置から照明対象物までの距離が長い場合に、長尺のライトガイドを用いた場合のリスクを大幅に減少させると共に、装置の軽量化、発光ダイオードの採用による照明の明るさの向上と大幅な節電、光源部の長寿命化を達成し、かつライトガイドに使用される光ファイバにプラスチックファイバの使用を可能としてコストの大幅な低減を図ることができる画期的な光源装置に関する。
【背景技術】
【０００２】従来、精密機械産業、電子・電気機器産業、物理・化学・生物等の基礎研究分野等において、観察や撮影をしようとする対象物は、一般に天井照明のみの屋内や暗い環境に置かれていることが多いため、対象物を積極的に照明して明るく照らし、鮮明に見ることができる状態にしなければ、観察や撮影をすることができない。これを解決するために用いられるのが光源装置であり、従来各種のものが実用に供されている。【０００３】本願出願人は、これまでハロゲンランプをはじめとして、メタルハライドランプ、キセノンランプ及び紫外線（ＵＶ）ランプを使用した光源装置を開発し、市場に提供して来た。しかし、これらのランプを使用した従来の光源装置は、ランプの寿命が短く、消費電力が多く、高速応答性が劣ったり、発熱が非常に高い等、環境負荷の問題を考慮した場合に、必ずしも満足できるものではなかった。例えばハロゲンランプを使用した光源装置では、消費電力は６４Ｗと、かなり大きく、発熱も非常に高く、相当容量の大きい冷却ファンを必要とし、装置も大型化するという欠点があった。【０００４】また従来の光源装置は、すべて光源部と、該光源部に安定した電力を供給するための電源部とが常に一体化されて、装置本体内に収容され、これらは分離使用不可能に構成されていた。このため従来の光源装置では、該光源装置より出射された光は、必ずライトガイドにより照明対象物まで導かれるという形態で、半ば光源装置と一心同体の如くセットで使用されて来た。
ライトガイドは、光ファイバ素線の数を変化させることで大光量の光の伝達が可能であり、光照射部の先端金具の形状や分岐等を多様化させることで様々に対応が可能等、多くの長所を備えているが、一方で設置装置の制約上、光源装置と照明対象物との距離が長くなると、長尺の光ファイバの使用を余儀なくされ、ライトガイドの長さに反比例して大幅に減少する光の透過率の問題や、メカ的動作の回数に比例して増加するファイバ素線の断線の可能性等、多くの短所も有している。【０００５】要するに、従来の光源装置では、照明対象物に対して場所の関係上、光源装置を接近して設置できない場合には、照明対象物を所望の明るさに照明するためには、照明対象物から遠い所に光源装置を設置して、光源装置から照明対象物までライトガイドを延長しなければならず、即ち長尺のライトガイドを用いなければならなかったので、光の透過率の減少による照度の低下、光ファイバ素線の断線の危険性が大きい等の欠点があった。【０００６】なお、本願出願人及び発明者は、本願発明に関する特許文献及び非特許文献を知らないので、その記載を省略する。
【発明の開示】
【発明が解決しようとする課題】
【０００７】本発明は、上記した従来技術の欠点を除くためになされたものであって、その目的とするところは、電力を供給されて発光する発光体を有する光源部と、該光源部に接続されて発光体からの光を光ファイバにより光源部から離れて位置する光照射部に伝達するライトガイドと、光源部に安定した電力を供給する電源部と、該電源部と光源部とを電気的に接続する電源ケーブルと、該電源ケーブル、電源部及び光源部を収容するための装置本体とを備えた光源装置において、電源部を装置本体に固定すると共に、光源部を装置本体に対して分離使用可能に構成し、装置本体を照明対象物から遠方に配置しながら光源部を装置本体から取り外してライトガイドを伴って照明対象物に接近させ、電源ケーブルを延長することでライトガイドを延長することなく近距離から光照射部により照明対象物を照明できるように構成することによって、従来光源装置と照明対象物までの区間は全区間ライトガイドにより伝送されていた光を、大半の部分を電源ケーブルへと変更可能とすることにより、必要最小限のライトガイドのみを使用すれば済むようにし、光源装置から照明対象物までの距離が長い場合に、長尺のライトガイドを用いた場合の光の透過率の低下による照度の低下や光ファイバ素線の断線の危険性等のリスクを大幅に減少させると共に、装置の軽量化を図ることである。【０００８】また他の目的は、上記構成に加えて、発光体には発光ダイオード（ＬＥＤ）を使用し、この発光体を構成する発光ダイオードと、該発光ダイオードを冷却する冷却ファンと、これらの部品を収容する匪体とからなる光源部を備えることによって、匪体によりまとめられた一体としての光源部を装置本体からより簡単に分離使用可能とすることであり、またこれによって従来光源装置と照明対象物までの区間は全区間ライトガイドにより伝送されていた光を、大半の部分を電源ケーブルへと変更可能とすることにより、必要最小限のライトガイドのみを使用すれば済むようにし、光源装置から照明対象物までの距離が長い場合に、長尺のライトガイドを用いた場合の光の透過率の低下による照度の低下や光ファイバ素線の断線の危険性等のリスクを大幅に減少させると共に、照明の明るさの向上と大幅な節電、光源部の長寿命化を達成し、かつライトガイドに使用される光ファイバ素線にプラスチックファイバの使用を可能としてコストの大幅な低減を図ることができる画期的な光源装置を提供することである。
【課題を解決するための手段】
【０００９】要するに本発明（請求項１）は、電力を供給されて発光する発光体を有する光源部と、該光源部に接続されて前記発光体からの光を光ファイバにより前記光源部から離れて位置する光照射部に伝達するライトガイドと、前記光源部に安定した電力を供給する電源部と、該電源部と前記光源部とを電気的に接続する電源ケーブルと、該電源ケーブル、前記電源部及び前記光源部を収容するための装置本体とを備えた光源装置において、前記電源部を前記装置本体に固定すると共に、前記光源部を前記装置本体に対して分離使用可能に構成し、前記装置本体を照明対象物から遠方に配置しながら前記光源部を前記装置本体から取り外して前記ライトガイドを伴って前記照明対象物に接近させ、前記電源ケーブルを延長することで前記ライトガイドを延長することなく近距離から前記光照射部により前記照明対象物を照明できるように構成したことを特徴とするものである。【００１０】また本発明（請求項２）は、電力を供給されて発光する発光体を有する光源部と、該光源部に接続されて前記発光体からの光を光ファイバにより前記光源部から離れて位置する光照射部に伝達するライトガイドと、前記光源部に安定した電力を供給する電源部と、該電源部と前記光源部とを電気的に接続する電源ケーブルと、該電源ケーブル、前記電源部及び前記光源部を収容するための装置本体とを備えた光源装置において、前記発光体を構成する発光ダイオードと、該発光ダイオードを冷却する冷却ファンと、これらの部品を収容する匪体とからなる光源部を備え、前記電源部を前記装置本体に固定すると共に、前記光源部を前記装置本体に対して分離使用可能に構成し、前記装置本体を照明対象物から遠方に配置しながら前記光源部を前記装置本体から取り外して前記ライトガイドを伴って前記照明対象物に接近させ、前記電源ケーブルを延長することで前記ライトガイドを延長することなく近距離から前記光照射部により前記照明対象物を照明できるように構成したことを特徴とするものである。【００１１】また本発明（請求項３）は、前記ライトガイドに使用される光ファイバ素線は、プラスチックファイバであることを特徴とするものである。【００１２】また本発明（請求項４）は、前記光源部の前記装置本体からの取外しは、装置全体のカバーを外して前記光源部を前記装置本体から取り外すように構成したことを特徴とするものである。【００１３】また本発明（請求項４）は、前記光源部の前記装置本体からの取外しは、装置全体のカバーから分離した前記光源部のみのカバーを外して前記光源部を該カバーと共に前記装置本体から取り外すように構成したことを特徴とするものである。
【発明の効果】
【００１４】本発明は、上記のように電力を供給されて発光する発光体を有する光源部と、該光源部に接続されて発光体からの光を光ファイバにより光源部から離れて位置する光照射部に伝達するライトガイドと、光源部に安定した電力を供給する電源部と、該電源部と光源部とを電気的に接続する電源ケーブルと、該電源ケーブル、電源部及び光源部を収容するための装置本体とを備えた光源装置において、電源部を装置本体に固定すると共に、光源部を装置本体に対して分離使用可能に構成し、装置本体を照明対象物から遠方に配置しながら光源部を装置本体から取り外してライトガイドを伴って照明対象物に接近させ、電源ケーブルを延長することでライトガイドを延長することなく近距離から光照射部により照明対象物を照明できるように構成したので、従来光源装置と照明対象物までの区間は全区間ライトガイドにより伝送されていた光を、大半の部分を電源ケーブルへと変更が可能となるため、必要最小限のライトガイドのみを使用すれば済むという効果があり、また光源装置から照明対象物までの距離が長い場合に、長尺のライトガイドを用いた場合の光の透過率の低下による照度の低下や光ファイバ素線の断線の危険性等のリスクを大幅に減少させることができると共に、装置の軽量化を図ることができる効果がある。【００１５】また他の目的は、上記構成に加えて、発光体には発光ダイオード（ＬＥＤ）を使用し、この発光体を構成する発光ダイオードと、該発光ダイオードを冷却する冷却ファンと、これらの部品を収容する匪体とからなる光源部を備えたので、匪体によりまとめられた一体としての光源部を装置本体からより簡単に分離使用可能し得る効果があり、またこの結果従来光源装置と照明対象物までの区間は全区間ライトガイドにより伝送されていた光を、大半の部分を電源ケーブルへと変更が可能となるため、必要最小限のライトガイドのみを使用すれば済むという効果があり、光源装置から照明対象物までの距離が長い場合に、長尺のライトガイドを用いた場合の光の透過率の低下による照度の低下や光ファイバ素線の断線の危険性等のリスクを大幅に減少させることができると共に、照明の明るさの向上と大幅な節電、光源部の長寿命化を達成し、かつライトガイドに使用される光ファイバ素線にプラスチックファイバの使用を可能としてコストの大幅な低減を図ることができる画期的な光源装置を提供し得る効果がある。
【発明を実施するための最良の形態】
【００１６】以下本発明を図面に示す実施例に基づいて説明する。図１から図６において、本発明に係る光源装置１は、電力を供給されて発光する発光体２を有する光源部３と、該光源部３に接続されて発光体２からの光を光ファイバにより光源部３から離れて位置する光照射部４ａに伝達するライトガイド４と、光源部３に安定した電力を供給する電源部５と、該電源部５と光源部３とを電気的に接続する電源ケーブル６と、該電源ケーブル６、電源部５及び光源部３を収容するための装置本体８とを備えた光源装置であって、発光ダイオードＬＥＤと、冷却ファン９と、これらの部品を収容する匪体１０とからなる光源部３を備え、光源部３を装置本体８に対して分離使用可能に構成したものである。【００１７】本発明では、図５に示すように、発光体２に複数の発光ダイオードＬＥＤを採用しており、各発光ダイオードＬＥＤは、そのための基板１１に電気的に接続配置され、基板１１は電源ケーブル６を介して電源部５に接続されており、発光ダイオードＬＥＤから発する光はライトガイド４内の光ファイバ１２に送り出されるようになっており、発光ダイオードＬＥＤの合計消費電力は、例えば３５Ｗで済み、従来と同様の照度を得ながら、従来のハロゲンランプの消費電力６４Ｗに比べて大幅な消費電力の低減が図られている。【００１８】光源部３は、図４及び図５において、匪体１０によりひとまとめに構成されており、該匪体のカバー１３は両側面１３ａ，１３ｂと上面１３ｃとで下に凹のコノ字形に形成され、各面には夫々多数の換気穴１３ｄがあけられ、両側面１３ａ，１３ｂには４個のばか穴１３ｅがあけられ、ねじ１４により匪体１０のねじ穴１０ｅにねじ止めされて匪体１０に固定されている。【００１９】基板１１の前面部１１ａ及び集光板１５は透明部材で構成され、匪体１０にねじ７により取り付けられたボス部１６のねじ穴１６ａを介してねじ１８によりライトガイド４の後端部４ｂが固定され、集光板１５により集められた発光ダイオードＬＥＤの光がライトガイド４内の光ファイバ１２の各ファイバ素線１２ａに導かれるようになっている。【００２０】冷却ファン９は、発光ダイオードＬＥＤの発熱がハロゲンランプ等に比べて非常に少ないので、小型で極めて小容量のもので足り、このため光源部３の匪体１０に内蔵することが可能となり、匪体１０にねじ１９により取り付けられている。冷却ファン９は、モータ２０と該モータにより駆動されるファンブレード２１とからなり、モータ２０は匪体１０に固定されており、ファンブレード２１の回転により空気は匪体１０にあけられた換気穴１０ｄから吸引されて発光ダイオードＬＥＤ及び基板１１を冷却した後、カバー１３の換気穴１３ｄから排気されるようになっている。【００２１】匪体１０は、その基部１０ａが長穴状のばか穴１０ｂ及び装置本体８のねじ穴８ａを介してねじ２２により装置本体８に固定され、また必要に応じて着脱自在とされ、結果として光源部３が装置本体８に対して分離使用可能に構成されている。【００２２】ライトガイド４は、光源部３にその後端部４ｂが接続されて発光ダイオードＬＥＤからの光を光ファイバ１２により光源部３から離れて位置する光照射部４ａに伝達するもので、光ファイバ１２は複数のファイバ素線１２ａで構成されている。【００２３】本発明では、発光体２に発光ダイオードＬＥＤを採用したため、従来のガラスファイバはもちろん使用可能としながら、これまでハロゲンランプ等では必須条件であった出射直前に設けられた熱線吸収フィルタを一切併用することなく、圧倒的に低コストで断線の可能性が少ないプラスチックファイバを使用することができる。
そして照明対象物２３に対してライトガイド４の光照射部４ａをなるべく接近させて光を照射してこれを照明することができるように構成されている。【００２４】電源部５は、安定した電力を光源部３に供給するためのもので、図示は省略するが、電圧・電流の安定回路等からなる電源回路、パルス発信回路、トランス等で構成され、電源コード（図示せず）により商用電源（図示せず）に接続されて電力を供給されるようになっており、装置本体８に固定されている。よって電源部５は装置本体８とは常に一体であり、分離するものではない。【００２５】なお、装置本体８の前面パネル８ｂにはボス部１６が収容される大きいばか穴８ｃがあけられ、また電源スイッチ２４及び照度調節つまみ２５が夫々設けられている。
そして装置全体のカバー２６は、多数の換気穴２６ａを有し、ねじ２８により装置本体８のねじ穴８ｄを介して着脱自在に取り付けられている。【００２６】電源ケーブル６は、電源部５と光源部３とを電気的に接続するためのもので、前端部６ａは光源部３に接続され、後端部３ｂは雄コネクタ２８により電源部５の雌コネクタ２９に接続されている。そしてその長さは、例えば５ｍを標準とし、１ｍから１０ｍまで、１ｍ単位で供給されるようになっている。【００２７】そして電源部５を装置本体８に固定すると共に、光源部３を装置本体８に対して分離使用可能に構成し、装置本体８を照明対象物２３から遠方に配置しながら光源部３を装置本体８から取り外してライトガイド４を伴って照明対象物２３に接近させ、電源ケーブル６を延長することでライトガイド４を延長することなく近距離から光照射部４ａにより照明対象物２３を照明できるように構成されている。【００２８】なお、図示の実施例では、光源部３の取外しは、装置全体のカバー２６の装置本体８に対するねじ２８による結合を解除することによって、該カバー２６を外して光源部３を装置本体８から取り外すように構成したものである。【００２９】しかし、光源部３の取外しは、これに限定されるものではなく、図示は省略するが、電源部３のカバーは、装置全体のカバー２６とは分離させておいて、この分離した光源部３のみのカバーの装置本体８に対するねじ止め等の結合を解除して、光源部３を該カバーと共に装置本体８から取り外すように構成してもよい。
この場合には、ライトガイド４を光源部３のボス部１６からから外さないで光源部３を装置本体８から取り外すことができるように、前面パネル８ｂのばか穴８ｃに代えて、ボス部１６の直径よりやや大きい幅寸法の溝を前面パネル８ｂの上端に向けて形成しておき、この溝に沿って光源部３と共に、ライトガイド４を上方に引き抜くことができるようにしておいてもよい。【００３０】本発明は、上記のように構成されており、以下その作用について説明する。まず光源装置１を照明対象物２３に接近させて照明することができる場合について説明すると、この場合には、光源装置１をライトガイド４の長さだけ照明対象物２３から離れた位置におけばよいから、従来通りの光源装置１の使用でよく、光源部３を装置本体８から分離使用する必要はない。このように、本発明に係る光源装置１は、従来通りの使用方法で用いることももちろん可能である。【００３１】次に、光源装置１を照明対象物２３に接近させて照明することができない場合について説明すると、従来は光源装置１が照明対象物２３から相当離れた位置に置かれるから、基準の長さのライトガイド４では、光照射部４ａから照明対象物２３までの距離が長過ぎ、照明対象物２３における照度が不足してしまうため、ライトガイド４をより長いものに交換して延長しなければならなかったが、本発明では、図６に示すように、ライトガイド４の交換や延長の必要は全くなく、光源装置１自体は照明対象物２３からいくらでも（例えば１０ｍ）離れた位置に置くことができ、光源部３のみを装置本体８から分離させて、ライトガイド４の光照射部４ａを照明対象物２３に接近させ、照明を行えばよい。
この場合、光源部３には、冷却ファン９が内蔵されているため、光源部３を装置本体８から分離使用しても、発光ダイオードＬＥＤ及び基板１１は冷却ファン９により適温に冷却されるから、長時間の使用についても何ら問題がない。【００３２】次に、光源部３の装置本体８からの分離使用の仕方について説明すると、光源部３を、装置本体８から分離させるには、まず図１に示す状態から装置全体のカバー２６を、ねじ２８を外すことによって取り外し、ライトガイド４をねじ１８を弛めてボス部１６から取り外して図２に示す状態とし、次いでねじ２２を弛めて外すことにより、光源部３を、冷却ファン９、匪体１０及びカバー１３ごと装置本体８から取り外すことができ、再びライトガイド４をボス部１６に取り付けて電源ケーブル６を伸ばして光源部３のみを照明対象物２３に接近させて配置する。このときライトガイド４は基準のままの長さのもので済み、その代わりとして電源ケーブル６に長いものを使用する。一例として電源ケーブル６は、５ｍのものを標準とし、最大１０ｍのものまで使用可能で、１ｍ単位で用意することで、適宜な長さのものを選択して使用することができる。【００３３】また光源部３の図示の実施例とは別の方式では、全体のカバー２６はそのままにしておいて、光源部３のみのカバー（図示せず）を装置本体８から外して光源部３を装置本体８から外し、前面パネル８ｂに設けられたばか穴８ｃの代わりの溝（図示せず）を利用して、ライトガイド４を取付け状態のまま装置本体８から上方に引き抜いて取り外し、分離させることもできる。【００３４】次に、設置が完了した光源装置１の作用について説明すると、図６において、光源装置１を商用電源（図示せず）に接続し、電源スイッチ２４をＯＮにすると、電源部５から安定した電力が電源ケーブル６を介して光源部３に供給され、例えばパルス点灯方式により基板１１の複数の発光ダイオードＬＥＤが発光し、集光板１５によりこれらの光が集められてライトガイド４の後端部４ｂに入射し、光ファイバ１２により全反射の繰り返しにより光が光照射部４ａまで伝達され、該光照射部４ａから照明対象物２３に対して照射される。これによって照明対象物２３は明るく照明され、照明対象物２３の観察や写真撮影を行うことができる。【００３５】この場合、ライトガイド４は標準仕様の短いものでよいから、いかに照明対象物２３から光源装置１を遠く離れた場所に置いたとしても、光の透過率が低下するおそれも全くなく、メカ的動作の回数に対して比例して増大するファイバ素線１２ａの断線の可能性も非常に少くなる。
一方、電源ケーブル６は相当長くなるが、電源ケーブル６においては、電圧・電流値等の電気的特性が変化したり劣化したりするおそれは、１０ｍ程度では全く問題とならないから、ライトガイド４の代わりに電源ケーブル６を長くすることが非常に大きな技術的効果をもたらすものである。【００３６】なお、照明対象物２３に対する照度の調節は、照度調節つまみ２５により行うが、本発明では、発光体に高輝度発光ダイオードＬＥＤを採用しており、更にパルス点灯方式を採用しているため、コスト面では多少不利になるが、色温度に影響を与えにくい長所がある。
パルス点灯方式は、発光ダイオードＬＥＤ素子へ与える電圧・電流は一定に保った上で点灯間隔を変化させることで照度の調整を可能とした方式であり、実際の内部制御に関しても８ｂｉｔ調光方式を用いることで照度０から最大照度までを２５６階調という照度変化を実現しており、照度調整幅が比較的狭いとされる発光ダイオードＬＥＤにおいても十分に実用に耐えるものとなっている。【００３７】また発光ダイオードＬＥＤは、その素子の大きさと樹脂レンズ採用の故に、放射される光の光量ムラといった指向性の問題がこれまで存在していたが、光源部３に発光ダイオードＬＥＤを組み込み、光ファイバ１２と併用することでその問題が解決されている。即ち、光ファイバ１２との併用によって、発光ダイオードＬＥＤからの直接の光と比較して圧倒的な均一性を持つ特性の光照射を可能としたものである。【００３８】なお、ライトガイド４（光ファイバ１２）の特性として、光ファイバ１２の一端から入射した光は内部で全反射を繰り返し、他端まで伝達されることから、入射する前の光の性質はそのまま出射側へ反映される。このことからライトガイド４へ入射する光にタイプの異なる光特性を選択することは、そのまま出射口からの光にタイプの異なる光特性を選択することと等しくなることを意味する。
そこで発光体２に関して拡散タイプか集光タイプかの具体的な使い分けとしては、例えば同軸落射照明の場合は拡散タイプ、レンズ先端にリングライトガン等の外部照明を使用し斜光照明として利用する等、出射口からの距離や照射範囲に制限が加わる場合には集光タイプを採用する等の選択方法も可能となる。【００３９】また、ハロゲンランプにおいて２０００時間、即ち約３か月に一度訪れるランプの交換作業や日々のランプ寿命へ向けて低下して行く照度の補正作業は、人的な手間を増大させたり、その都度装置の稼働を停止させることにもつながり、これらの負担は人件面、生産効率等あらゆる面で大きな損失をもたらすものであったが、本発明では、発光体２に発光ダイオードＬＥＤを採用したので、発光ダイオードＬＥＤの寿命は、ハロゲンランプの平均寿命の約２０００時間の数倍から十数倍であるから、これらの問題も一挙に解決することができた。
【図面の簡単な説明】
【００４０】
【図１】図面は本発明の実施例に係り、図１は光源装置の斜視図である。
【図２】装置全体のカバーを取り外した状態を示す光源装置の斜視図である。
【図３】光源装置の分解斜視図である。
【図４】光源部の分解斜視図である。
【図５】光源部及びランプの部分縦断面側面図である。
【図６】光源部を装置本体から分離使用している状態を示す斜視図である。
【符号の説明】
【００４１】    １    光源装置
２    発光体
３    光源部
４    ライトガイド
４ａ  光照射部
４ｂ  後端部
５    電源部
６    電源ケーブル
６ａ  前端部
６ｂ  後端部
７    ねじ
８    装置本体
８ａ  ねじ穴
８ｂ  前面パネル
８ｃ  ばか穴
８ｄ  ねじ穴
９    冷却ファン
１０    匪体
１０ａ  基部
１０ｂ  ばか穴
１０ｄ  換気穴
１０ｅ  ねじ穴
１１    基板
１２    光ファイバ
１２ａ  ファイバ素線
１３    カバー
１３ａ  側面
１３ｂ  側面
１３ｃ  上面
１３ｄ  換気穴
１３ｅ  ばか穴
１４    ねじ
１５    集光板
１６    ボス部
１６ａ  ねじ穴
１８    ねじ
１９    ねじ
２０    モータ
２１    ファンブレード
２２    ねじ
２３    照明対象物
２４    電源スイッチ
２５    照度調節つまみ
２６    装置全体のカバー
２６ａ  換気穴
２８    ねじ
ＬＥＤ    発光ダイオード
【図１】
2009129899.tif 000003
【図２】
2009129899.tif 000004
【図３】
2009129899.tif 000005
【図４】
2009129899.tif 000006
【図５】
2009129899.tif 000007
【図６】
2009129899.tif 000008